(57)【要約】【課題】住宅やビルの居室などに使用される換気送風装置において、実際の風量を容易に認識可能な表示を行なうことを目的とする。【解決手段】換気送風装置１は、風速検出手段２と、風量検出手段３と、風量表示手段４と、送信手段５と、受信手段６と、表示切替手段７を備え、光源４ｂを羽根１ｂに設置し、風速検出手段２により検出した風速から換算し得られた風量を、大きさにより光源４ｂの発光パターンを変化させ表示することにより、実際の風量を一目で容易に認識可能な表示を行なうことを可能とする。【選択図】図１
2005221089.tif 000002
【特許請求の範囲】
【請求項１】
羽根部に風速検出手段により検出した風速より換算した風量を表示する風量表示手段を備えた換気送風装置。
【請求項２】
風量表示手段は、少なくとも１つ以上の光源であることを特徴とする請求項１記載の換気送風装置。
【請求項３】
光源は、羽根部に放射状に配列したことを特徴とする請求項２記載の換気送風装置。
【請求項４】
光源は、少なくとも２つ以上の発光パターンを備えたことを特徴とする請求項２あるいは３記載の換気送風装置。
【請求項５】
光源は、少なくとも２つ以上の発光色であることを特徴とする請求項２記載の換気送風装置。
【請求項６】
異なる発光色の光源は、羽根の回転軸から等しい距離に取り付けたことを特徴とする請求項５記載の換気送風装置。
【請求項７】
光源は、風量により発光色を変更することを特徴とする請求項５または６記載の換気送風装置。
【請求項８】
風量により発光させる光源を変更することを特徴とする請求項２、３、４または５記載の換気送風装置。
【請求項９】
光源は、風量に合わせて点灯、あるいは点滅、あるいは消灯させることを特徴とする請求項２、３、４、５、６、７または８記載の換気送風装置。
【請求項１０】
光源の点滅時間間隔を、風量に合わせて変更することを特徴とする請求項２、３、４、５、６、７、８または９記載の換気送風装置。
【請求項１１】
配列した光源は、風量に合わせて羽根の回転軸側から順に点灯させることを特徴とする請求項２、３、４、５、６、７、８、９または１０記載の換気送風装置。
【請求項１２】
風量表示手段は、配列した光源と羽根部の回転により風量を識別できる文字、イラストあるいはアニメーションを表示することを特徴とする請求項２、３、４、５、６、７、８、９、１０または１１記載の換気送風装置。
【請求項１３】
光源は、発光ダイオードであることを特徴とする請求項２、３、４、５、６、７、８、９、１０、１１または１２記載の換気送風装置。
【請求項１４】
光源は、風量により輝度を変更することを特徴とする請求項２、３、４、５、６、７、８、９、１０、１１、１２または１３記載の換気送風装置。
【請求項１５】
光源は、羽根の重心と回転軸が一致するように配置したことを特徴とする請求項２、３、４、５、６、７、８、９、１０、１１、１２、１３または１４記載の換気送風装置。
【請求項１６】
光源は、各羽根に個数、回転軸からの距離を等しく配置することを特徴とする請求項２、３、４、５、６、７、８、９、１０、１１、１２、１３、１４または１５記載の換気送風装置。
【請求項１７】
風量表示手段は、少なくとも２種類以上の発光色の光源を羽根の回転軸から等距離に配置し、羽根の回転により光源の発光色以外の色を見かけ上合成することができることを特徴とする請求項２、３、４、５、６、７、８、９、１０、１１、１２、１３、１４、１５または１６記載の換気送風装置。
【請求項１８】
配列した光源は、回転軸外側から内側へ順に点灯位置を移行していくことを特徴とする請求項２、３、４、５、６、７、８、９、１０、１１、１２、１３、１４、１５、１６または１７記載の換気送風装置。
【請求項１９】
配列した光源は、風量にあわせて回転軸外側から内側へ順に点灯させる移行時間間隔を変更することを特徴とする請求項２、３、４、５、６、７、８、９、１０、１１、１２、１３、１４、１５、１６、１７または１８記載の換気送風装置。
【請求項２０】
風量表示手段は、光源の発光パターンを切替えることができることを特徴とする請求項２、３、４、５、６、７、８、９、１０、１１、１２、１３、１４、１５、１６、１７、１８または１９記載の換気送風装置。
【発明の詳細な説明】
【技術分野】
【０００１】
本発明は、換気送風装置の風量表示に関する。
【背景技術】
【０００２】
近年、住宅の気密性が高くなっていることや、有害となる化学物質を放出する建材の使用およびエアコンなどの普及により、窓を開けないなど、生活環境の変化から室内の空気に有害なガス成分が多く含まれることとなっており、シックハウス症候群の原因とされている。その対策として建築基準法が改正されるなど、換気送風装置の必要性、関心は高まっており、換気送風装置の（強）（中）（弱）といった設定値ではなく、実際に設定値に対してどれくらいの風量がでているかという実際の風量を判断できる換気送風装置が求められている。また、実際の風量の表示は大きく見やすい表示が求められている。
【０００３】
従来、この種の換気送風装置は、羽根内部に備えた液体により設定風量を報知するものが知られている（例えば、特許文献１参照）。
【０００４】
以下、その換気送風装置について図１９を参照しながら説明する。
【０００５】
図に示すように、換気送風装置１０１において、羽根１０２内部に比重の大きいの有色の液体１０３と比重の小さい無色の液体１０４を入れ、回転による遠心力で液体を移動させ、回転速度に依存した設定風量を表示するものが知られている。
【特許文献１】特開２０００−０８１２３４号公報
【発明の開示】
【発明が解決しようとする課題】
【０００６】
このような従来の換気送風装置では、回転数を目安にしているが、回転数と実際の風量が必ずしも同じでない場合、例えば、吸い込み側が負圧あるいは風路に障害物が存在する時、所望の風量がでているか判断できないという課題があり、実際の風量を容易に認識可能な表示が要求されている。
【０００７】
本発明は、このような従来の課題を解決するものであり、換気装置に風速検出手段と風量検出手段と風量表示手段を設け、所定の風量が得られているかを検出し、表示することができ、また、視覚的に見易い表示部を備えた換気送風装置を提供することを目的としている。
【課題を解決するための手段】
【０００８】
本発明の換気送風装置は上記目的を達成するために、羽根部に風速検出手段により検出した風速より換算した風量を表示する風量表示手段を備える構成としたものである。
【０００９】
この手段により、換気送風装置の運転により得られた風量を精度良く検出し、羽根部に表示することができ、居住者は大きな表示により一目で風量を容易に認識することができる換気送風装置が得られる。
【００１０】
また、本発明の換気送風装置は上記目的を達成するために、風量表示手段は、少なくとも１つ以上の光源を備える構成としたものである。
【００１１】
この手段により、羽根部に備えた一つ以上の光源が回転し大きく表示でき、換気送風装置の風量を居住者は一目で容易に認識することができる。
【００１２】
さらに、光源を羽根部に放射状に配列する構成としたものである。
【００１３】
この手段により、居住者は回転する光源の円の大きさで風量を容易に認識することができる。
【００１４】
また、光源を少なくとも２つ以上の発光パターンを備える構成としたものである。
【００１５】
この手段により、居住者は光源の発光パターンの違いにより風量を容易に認識することができる。
【００１６】
さらに、光源を少なくとも２つ以上の発光色で構成したものである。
【００１７】
この手段により、居住者は光源の種々の発光色の違いにより風量を容易に認識することができる。
【００１８】
また、異なる発光色の光源を羽根の回転軸から等しい距離に取り付ける構成としたものである。
【００１９】
この手段により、居住者は大きさの等しい円の発光色の違いにより風量を容易に認識することができる。
【００２０】
さらに、光源を風量により発光色を変更する構成としたものである。
【００２１】
この手段により、居住者は発光色を確認することで風量を容易に認識することができる。
【００２２】
また、風量により発光させる光源を変更する構成としたものである。
【００２３】
この手段により、居住者は発光している光源の位置で風量を容易に認識することができる。
【００２４】
さらに、光源を風量に合わせて点灯、あるいは点滅、あるいは消灯させる構成としたものである。
【００２５】
この手段により、居住者は光源の点灯状態で風量を容易に認識することができる。
【００２６】
また、光源の点滅時間間隔を風量に合わせて変更する構成としたものである。
【００２７】
この手段により、居住者は光源の点灯間隔または輝度の変化で風量を容易に認識することができる。
【００２８】
さらに、配列した光源を風量に合わせて羽根の回転軸側から順に点灯させる構成としたものである。
【００２９】
この手段により、居住者は回転する光源の円の大きさで風量を容易に認識することができる。
【００３０】
また、配列した光源と羽根部の回転により風量を識別できる文字、イラストあるいはアニメーションを表示する構成としたものである。
【００３１】
この手段により、居住者は発光する文字、イラストあるいはアニメーションで風量を容易に認識することができる。
【００３２】
さらに、光源は発光ダイオードである構成としたものである。
【００３３】
この手段により、居住者は消費電力を抑えることができると同時に、風量を一目で容易に認識することができる。
【００３４】
また、風量に合せて光源の輝度を変更する構成としたものである。
【００３５】
この手段により、居住者は光源の輝度の違いにより風量を認識することができる。
【００３６】
さらに、光源を羽根の重心と回転軸が一致するように配置する構成としたものである。
【００３７】
この手段により、居住者はうなり、振動、光源のぶれ等の違和感なく風量を容易に認識することができ、さらに回転軸の偏心を防止することができる。
【００３８】
また、光源を各羽根に個数、回転軸からの距離を等しく配置する構成としたものである。
【００３９】
この手段により、居住者はうなり、振動等の違和感なく風量を容易に認識することができ、さらに回転軸の偏心を防止することもできる。
【００４０】
さらに、光源を少なくとも２種類以上の発光色とし、羽根の回転軸から等距離に配置する構成としたものである。
【００４１】
この手段により、羽根の回転により光源の発光色以外の色を見かけ上合成することができ、居住者は風量を光源の色の種類以上の色の違いにより容易に認識することができる。
【００４２】
また、配列した光源を回転軸外側から内側へ順に点灯位置を移行していく構成としたものである。
【００４３】
この手段により、居住者は風量を見かけ上空気が吸い込まれていくアニメーションとして容易に認識できる。
【００４４】
さらに、配列した光源を風量にあわせて回転軸外側から内側へ順に点灯させる移行時間間隔を変更する構成としたものである。
【００４５】
この手段により、居住者は風量の変化を見かけ上空気が吸い込まれていくアニメーションの変化として容易に認識できる。
【００４６】
また、風量表示機能は発光パターンを切替えることのできる構成としたものである。
【００４７】
この手段により、風量を好みの発光パターンで表示することや、表示したい時にだけ表示することができる。
【発明の効果】
【００４８】
本発明によれば、換気送風装置の羽根部に風速検出手段により検出した風速より換算した風量を表示する風量表示手段を備える構成とすることにより、換気送風装置の運転により得られた風量を精度良く表示できるとともに、羽根部に大きく表示することができ、居住者は実際の風量を換気送風装置から離れた位置であっても、一目で風量を容易に認識することができるという効果のある換気送風装置を提供できる。
【００４９】
また、風量表示手段は、少なくとも１つ以上の光源を備える構成とすることにより、羽根部に備えた一つ以上の光源が回転し大きく表示でき、居住者は実際の風量を換気送風装置から離れた位置であっても、一目で風量を容易に認識することができるという効果のある換気送風装置を提供できる。
【００５０】
さらに、光源を羽根部に放射状に配列する構成とすることにより、居住者は回転する光源の円の大きさで換気送風装置から離れた位置であっても、一目で風量を容易に認識することができるという効果のある換気送風装置を提供できる。
【００５１】
また、光源を少なくとも２つ以上の発光パターンを備える構成とすることにより、居住者は光源の発光パターンの違いで換気送風装置から離れた位置であっても、一目で風量を容易に認識することができるという効果のある換気送風装置を提供できる。
【００５２】
さらに、光源を少なくとも２つ以上の発光色である構成とすることにより、居住者は光源の種々の発光色の違いで換気送風装置から離れた位置であっても、一目で風量を容易に認識することができるという効果のある換気送風装置を提供できる。
【００５３】
また、異なる発光色の光源を羽根の回転軸から等しい距離に取り付ける構成とすることにより、居住者は大きさの等しい円の発光色の違いで換気送風装置から離れた位置であっても、一目で風量を容易に認識することができるという効果のある換気送風装置を提供できる。
【００５４】
さらに、光源を風量により発光色を変更する構成とすることにより、居住者は発光色を確認することで換気送風装置から離れた位置であっても、一目で風量を容易に認識することができるという効果のある換気送風装置を提供できる。
【００５５】
また、風量により発光させる光源を変更する構成とすることにより、居住者は発光している光源の位置で換気送風装置から離れた位置であっても、一目で風量を容易に認識することができるという効果のある換気送風装置を提供できる。
【００５６】
さらに、光源を風量に合わせて点灯、あるいは点滅、あるいは消灯させる構成とすることにより、居住者は光源の点灯状態の違いで換気送風装置から離れた位置であっても、一目で風量を容易に認識することができるという効果のある換気送風装置を提供できる。
【００５７】
また、光源の点滅時間間隔を風量に合わせて変更する構成とすることにより、居住者は光源の点灯間隔または輝度の変化での違いで換気送風装置から離れた位置であっても、一目で風量を容易に認識することができるという効果のある換気送風装置を提供できる。
【００５８】
さらに、配列した光源を風量に合わせて羽根の回転軸側から順に点灯させる構成とすることにより、居住者は回転する光源の円の大きさで換気送風装置から離れた位置であっても、一目で風量を容易に認識することができるという効果のある換気送風装置を提供できる。
【００５９】
また、配列した光源と羽根部の回転により風量を識別できる文字、イラストあるいはアニメーションを表示する構成することにより、居住者は発光する文字、イラストあるいはアニメーションで換気送風装置から離れた位置であっても、一目で風量を容易に認識することができるという効果のある換気送風装置を提供できる。
【００６０】
さらに、光源は発光ダイオードである構成とすることにより、居住者は消費電力を抑えることができると同時に、換気送風装置から離れた位置であっても、一目で風量を容易に認識することができるという効果のある換気送風装置を提供できる。
【００６１】
また、風量に合せて光源の輝度を変更する構成とすることにより、居住者は光源の輝度の違いで換気送風装置から離れた位置であっても、一目で風量を容易に認識することができるという効果のある換気送風装置を提供できる。
【００６２】
さらに、光源を羽根の重心と回転軸が一致するように配置する構成とすることにより、居住者はうなり、振動等の違和感なく風量を容易に認識することができ、さらに回転軸の偏心を防止することができるという効果のある換気送風装置を提供することができる。
【００６３】
また、光源を各羽根に個数、回転軸からの距離を等しく配置する構成とすることにより、居住者はうなり、振動等の違和感なく風量を容易に認識することができ、さらに回転軸の偏心を防止することができるという効果のある換気送風装置を提供できる。
【００６４】
さらに、光源を少なくとも２種類以上の発光色とし、羽根の回転軸から等距離に配置する構成とすることにより、羽根の回転により光源の発光色以外の色を見かけ上合成することができ、居住者は風量を光源の色の種類以上の色の違いの違いで換気送風装置から離れた位置であっても、一目で容易に認識することができるという効果のある換気送風装置を提供できる。
【００６５】
また、配列した光源は、回転軸外側から内側へ順に点灯位置を移行していく構成とすることにより、居住者は風量を見かけ上空気が吸い込まれていくアニメーションとして換気送風装置から離れた位置であっても、一目で容易に認識することができるという効果のある換気送風装置を提供することができる。
【００６６】
さらに、配列した光源は、風量にあわせて回転軸外側から内側へ順に点灯させる移行時間間隔を変更する構成とすることにより、居住者は風量の変化を見かけ上空気が吸い込まれていくアニメーションの変化として換気送風装置から離れた位置であっても、一目で容易に認識することができるという効果のある換気送風装置を提供できる。
【００６７】
また、風量表示機能は発光パターンを切替えることのできる構成とすることにより、風量を好みの発光パターンで表示することや、表示したい時にだけ表示することができるという効果のある換気送風装置を提供できる。
【発明を実施するための最良の形態】
【００６８】
本発明の請求項１記載の発明は、羽根部に風量表示手段を備える構成としたものであり、換気送風装置の運転により得られた風量を精度良く表示できるとともに、羽根部に表示することができ、居住者は大きな表示により一目で風量を容易に認識することができるという作用を有する。
【００６９】
また、風量表示手段は、少なくとも１つ以上の光源を備える構成としたものであり、羽根部に備えた一つ以上の光源が回転し大きく表示でき、換気送風装置の風量を居住者は一目で容易に認識することができるという作用を有する。
【００７０】
さらに、光源を羽根部に放射状に配列する構成としたものであり、居住者は回転する光源の円の大きさで風量を容易に認識することができるという作用を有する。
【００７１】
また、光源を少なくとも２つ以上の発光パターンを備える構成としたものであり、居住者は光源の発光パターンの違いにより風量を容易に認識することができるという作用を有する。
【００７２】
さらに、光源を少なくとも２つ以上の発光色で構成したものであり、居住者は光源の種々の発光色の違いにより風量を容易に認識することができるという作用を有する。
【００７３】
また、異なる発光色の光源を羽根の回転軸から等しい距離に取り付ける構成としたものであり、居住者は大きさの等しい円の発光色の違いにより風量を容易に認識することができるという作用を有する。
【００７４】
さらに、光源を風量により発光色を変更する構成としたものであり、居住者は発光色を確認することで風量を容易に認識することができるという作用を有する。
【００７５】
また、風量により発光させる光源を変更する構成としたものであり、居住者は発光している光源の位置でで風量を容易に認識することができるという作用を有する。
【００７６】
さらに、光源を風量に合わせて点灯、あるいは点滅、あるいは消灯させる構成としたものであり、居住者は光源の点灯状態で風量を容易に認識することができるという作用を有する。
【００７７】
また、光源の点滅時間間隔を風量に合わせて変更する構成としたものであり、居住者は光源の点灯間隔で風量を容易に認識することができるという作用を有する。
【００７８】
さらに、配列した光源を風量に合わせて羽根の回転軸側から順に点灯させる構成としたものであり、居住者は回転する光源の円の大きさで風量を容易に認識することができるという作用を有する。
【００７９】
また、配列した光源と羽根部の回転により風量を識別できる文字、イラストあるいはアニメーションを表示する構成としたものであり、居住者は発光する文字、イラストあるいはアニメーションで風量を容易に認識することができるという作用を有する。
【００８０】
さらに、光源は発光ダイオードである構成としたものであり、居住者は居住者は消費電力を抑えることができると同時に、風量を一目で容易に認識することができるという作用を有する。
【００８１】
また、風量に合せて光源の輝度を変更する構成としたものであり、居住者は光源の輝度の違いにより風量を容易にで風量を認識することができるという作用を有する。
【００８２】
さらに、光源を羽根の重心と回転軸が一致するように配置する構成としたものであり、居住者はうなり、振動等の違和感なく風量を容易に認識することができ、さらに回転軸の偏心を防止することができるという作用を有する。
【００８３】
また、光源を各羽根に個数、回転軸からの距離を等しく配置する構成としたものであり、居住者はうなり、振動等の違和感なく風量を容易に認識することができるという作用を有する。
【００８４】
さらに、光源を少なくとも２種類以上の発光色とし、羽根の回転軸から等距離に配置する構成としたものであり、羽根の回転により光源の発光色以外の色を見かけ上合成することができ、居住者は風量を光源の色の種類以上の色の違いにより容易に認識することができるという作用を有する。
【００８５】
また、配列した光源は、回転軸外側から内側へ順に点灯位置を移行していく構成としたものであり、居住者は風量を見かけ上空気が吸い込まれていくアニメーションとして容易に認識することができるという作用を有する。
【００８６】
さらに、配列した光源は、風量にあわせて回転軸外側から内側へ順に点灯させる移行時間間隔を変更する構成としたものであり、居住者は風量の変化を見かけ上空気が吸い込まれていくアニメーションの変化として容易に認識することができるという作用を有する。
【００８７】
また、風量表示機能は発光パターンを切替えることのできる構成としたものであり、風量を好みの発光パターンで表示することや、表示したい時にだけ表示することができるという作用を有する。
【００８８】
以下、本発明の実施の形態について図面を参照しながら説明する。
【００８９】
（実施の形態１）
図１に示すように、換気送風装置１は、風速検出手段２と、風量検出手段３と、風量表示手段４と、送信手段５と、受信手段６と、表示切替手段７を備えている。さらに、風量表示手段４は電装部４ａと、光源４ｂを備えている。
【００９０】
換気送風装置１を運転制御する電装部１ｅには、風量検出手段３および送信手段５が接続されている。また、風量表示手段４を制御する電装部４ａは羽根１ｂの中心部に配置し、受信手段６が接続されている。
【００９１】
空気は、モータ１ａによって回転する羽根１ｂにより、ルーバー１ｃを通過し換気送風装置１内部に吸い込まれ、羽根１ｂを通過し、換気送風装置１が運転中は開かれているシャッター１ｄを通過して屋外へ排出される。
【００９２】
次に換気送風装置の風速検出から風量表示までの流れを、図２を参照しながら説明する。図に示すように、風速検出手段２、例えば熱線式風速計、により検出された風速は風量検出手段３に出力され、電装部１ｅが記憶している参照テーブルを参照して風量に換算され、所定の条件に見合った発光パターンを決定し、送信手段５より無線、例えば電波、により受信部６へ送られ、電装部４ａへ届き、その後光源４ｂ、例えば発光ダイオード、へ信号が送られる。風速検出手段２による風速検出により、精度良く風量値が得られる。
【００９３】
図３に示すように、光源４ｂは羽根１ｂの回転軸を変化させないように、羽根１ｂの回転軸からほぼ等距離に配置することにより、大きな円として表示できる。
【００９４】
次に発光パターンの決定について図４を参照しながら説明する。風量検出手段３で求められた風量が所定の条件を満たす場合、光源４ｂは各条件ごとに決められたパターン、例えば条件Ａ１、設計風量の７０％以上の状態が１０秒間連続した場合、光源４ｂを点灯させ、条件Ａ２、設計風量の５０％以上７０％未満の状態が１０秒間連続した場合、光源４ｂを点滅させ、条件Ａ３、設計風量の５０％未満の状態が１０秒間連続した場合、光源４ｂを消灯させる、で発光し、所定の条件に満たない場合、光源４ｂは現状の発光パターンを維持する。
【００９５】
上記構成において、風量表示手段４は羽根１ｂに取付けた光源４ｂが回転することにより大きな円として表示し、さらに実際の風量を発光パターン、設定風量の７０％以上である時は点灯、設定風量の５０％以上７０％未満の時は点滅、設定風量の５０％未満の時は消灯、として報知することにより、居住者は換気送風装置から離れた位置であっても、実際の風量を一目で容易に認識することができる。
【００９６】
なお、実施の形態１では、風速検出手段２に熱線式風速計を用いたが、熱線式風速計にかえて超音波式風速計や翼車式風速計あるいはピトー管式風速計などを用いてもよく、その作用効果に差異を生じない。
【００９７】
また、発光パターン決定の所定条件は、必ずしも３段階である必要は無く、２段階以下もしくは４段階以上であっても良い。
【００９８】
また、光源４ｂの発光パターンは輝度の変化、例えば風量が大きいほど輝度も大きい、であっても良い
さらに、光源４ｂの個数は、単数または複数であっても良い。
【００９９】
また、光源４ｂの個数が複数である場合、風量表示手段４の配置は羽根１ｂの回転軸から必ずしも等距離でなくても良い。
【０１００】
さらに、光源４ｂの発光色は単色とは限らず複数色、例えば、風量が大きい場合は青色、小さい場合は赤色、であっても良い
また、光源４ｂの配置は羽根１ｂの前面部に限らず、側面部であってもよい。
【０１０１】
さらに、実施の形態１では、羽根１ｂの枚数は４枚としたが、４枚以上、もしくは４枚以下であってもよく、その作用効果には差異を生じない。
【０１０２】
また、風速検出手段２の配置は図１のように羽根１ｂの後に限らず、前であっても良い。
【０１０３】
さらに、風速検出手段２の配置は図１のように換気送風装置１内部の下部に限らず、換気送風装置１内部の上部、もしくはモータ１ａであっても良い。
【０１０４】
また、電装部１ｅの配置は図１のように換気送風装置１内部の下部に限らず、換気送風装置１内部の上部、もしくは換気送風装置１外部の上部、もしくは換気送風装置１外部の下部、もしくはモータ１ａであっても良い。
【０１０５】
さらに、羽根の種類は軸流ファンに限らず、遠心ファン、もしくは斜流ファン、もしくは横流ファン等であっても良い。
【０１０６】
また、送信手段を電波としたが、他の無線方式、例えば赤外線、であっても良い。
【０１０７】
さらに、実施の形態１では、表示切替手段７は有線で電装部１ｅと接続され換気送風装置１に取付けられているが、表示切替手段７を無線方式にすることにより、単独のリモコンとしても良い。
【０１０８】
また、各条件を満たすための各状態での連続時間を５秒としたが、５秒以外の秒数であっても良い。
【０１０９】
（実施の形態２）
実施の形態１の換気送風装置１の羽根１ｂに、実施の形態１と同様に光源を配置する。
【０１１０】
次に発光パターンの決定について図５を参照しながら説明する。風量検出手段３で求められた風量が所定の条件を満たす場合、光源４ｂは各条件ごとに決められたパターン、例えば条件Ｂ１、設計風量の７０％以上の状態が５秒間連続した場合、光源４ｂを１秒間隔で点滅させ、条件Ｂ２、設計風量の５０％以上７０％未満の状態が５秒間連続した場合、光源４ｂを２秒間隔で点滅させ、条件Ｂ３、設計風量の５０％未満の状態が５秒間連続した場合、光源４ｂを３秒間隔で点滅させる、で発光し、所定の条件に満たない場合、光源４ｂは現状の発光パターンを維持する。
【０１１１】
上記構成において、風量表示手段４は光源４ｂにより、実際の風量を点滅間隔、設定風量の７０％以上の時は１秒間隔、設定風量の５０％以上７０％未満の時は２秒間隔、設定風量の５０％未満の時は３秒間隔、として報知することにより、居住者は換気送風装置から離れた位置であっても、実際の風量を一目で容易に認識することができる。
【０１１２】
なお、風量表示手段４の所定条件は、必ずしも３段階である必要は無く、２段階以下もしくは４段階以上であっても良い。
【０１１３】
また、点滅間隔は風量が大きいほど大きくても良い。
【０１１４】
（実施の形態３）
実施の形態１の換気送風装置１の羽根１ｂに、図６に示すように、羽根１ｂの回転軸からの距離が大きい位置に光源４ｃを配置し、小さい位置に光源４ｄを配置する。
【０１１５】
次に発光パターンの決定について図７を参照にしながら説明する。実施の形態１と同様にして得られた風量が所定の条件を満たす場合、光源４ｃおよび光源４ｄは各条件ごとに決められたパターン、例えば条件Ｃ１、設計風量の８０％以上の状態が５秒間連続した場合、光源４ｃと光源４ｄを点灯させ、条件Ｃ２、設計風量の５０％以上８０％未満の状態が５秒間連続した場合、光源４ｃのみを点灯させ、条件Ｃ３、設計風量の５０％未満の状態が５秒間連続した場合、光源４ｄのみを点灯させる、で発光し、所定の条件に満たない場合、発光パターンは現状を維持する。
【０１１６】
上記構成において、風量表示手段４は回転軸からの距離の異なる光源４ｃおよび４ｄが回転することにより異なる直径の円ができ、さらに実際の風量を円の種類、設定風量の８０％以上である時は二重円、設定風量の５０％以上８０％未満の時は大きい円、設定風量の５０％未満の時は小さい円、として報知することにより、居住者は換気送風装置から離れた位置であっても、実際の風量を一目で容易に認識することができる。
【０１１７】
なお、光源は全てが同じ発光色でなくても良い。例えば光源４ｃを青色、光源４ｄを赤色としても良い。
【０１１８】
なお、光源の発光パターンは点灯ではなく点滅であっても良い。
【０１１９】
（実施の形態４）
実施の形態１の換気送風装置１の羽根１ｂに、図８に示すように、羽根１ｂの回転軸からの距離が大きい順に光源４ｅ、４ｆ、４ｇを配置し、さらに羽根１ｂの回転軸付近に光源４ｈを配置する。
【０１２０】
次に発光パターンの決定について図９を参照しながら説明する。実施の形態１と同様にして得られた風量が所定の条件を満たす場合、光源は各条件ごとに決められたパターン、例えば条件Ｄ１、設計風量の８０％以上の状態が５秒間連続した場合、光源４ｅのみを点灯させ、条件Ｄ２、設計風量の６０％以上８０％未満の状態が５秒間連続した場合、光源４ｆのみを点灯させ、条件Ｄ３、設計風量の４０％以上６０％未満の状態が５秒間連続した場合、光源４ｇのみを点灯させ、条件Ｄ４、設計風量の４０％未満の状態が５秒間連続した場合、光源４ｈのみを点灯させる、で発光し、所定の条件に満たない場合、発光パターンは現状を維持する。
【０１２１】
上記構成において、風量表示手段４は光源４ｅから４ｈが回転することにより異なる直径の円と円の中心ができ、実際の風量を円の大きさ、設定風量の８０％以上の時は大きい円、設定風量の６０％以上８０％未満の時は中くらいの円、設定風量の４０％以上６０％未満の時は小さい円、設定風量の４０％未満の時は点、として報知することにより、居住者は換気送風装置から離れた位置であっても、実際の風量を一目で容易に認識することができる。
【０１２２】
なお、光源の発光色は必ずしも単色ではなく複数色、例えば４ｅは青色、４ｆは緑色、４ｇは橙色、４ｈは赤色、であっても良い。
【０１２３】
（実施の形態５）
実施の形態１の換気送風装置１の羽根１ｂに、実施の形態４と同様に光源を配置する。
【０１２４】
次に発光パターンの決定について図１０を参照しながら説明する。実施の形態１と同様にして得られた風量が所定の条件を満たす場合、光源は各条件ごとに決められたパターン、例えば条件Ｅ１、設計風量の８０％以上の状態が５秒間連続した場合、光源４ｅ、４ｆ、４ｇ、４ｈを点灯させ、条件Ｅ２、設計風量の６０％以上８０％未満の状態が５秒間連続した場合、光源４ｆ、４ｇ、４ｈのみを点灯させ、条件Ｅ３、設計風量の４０％以上６０％未満の状態が５秒間連続した場合、光源４ｇ、４ｈのみを点灯させ、条件Ｅ４、設計風量の４０％未満の状態が５秒間連続した場合、光源４ｈのみを点灯させる、で発光し、所定の条件に満たない場合、発光パターンは現状を維持する。
【０１２５】
上記構成において、風量表示手段４は光源４ｅから４ｈにより、実際の風量を円の数、設定風量の８０％以上の時は三重円と点、設定風量の６０％以上８０％未満の時は二重円と点、設定風量の４０％以上６０％未満の時は円と点、設定風量の４０％未満の時は点のみ、として報知することにより、居住者は換気送風装置から離れた位置であっても、実際の風量を一目で容易に認識することができる。
【０１２６】
（実施の形態６）
実施の形態１の換気送風装置１の羽根１ｂに、実施の形態４と同様に光源を配置する。
【０１２７】
光源４ｅから光源４ｆ、４ｇ、４ｈ、４ｅの順に、一定の間隔で発光させることにより、視覚的に空気を吸い込んでいることを認識できる構成としている。
【０１２８】
次に発光パターンの決定について図１１を参照しながら説明する。実施の形態１と同様にして得られた風量が所定の条件を満たす場合、光源は各条件ごとに決められたパターン、例えば条件Ｆ１、風量が設計風量の８０％以上である状態が５秒間連続した場合は０．１秒間隔で内側の光源へ移行、条件Ｆ２、設計風量の６０％以上８０％未満の状態が５秒間連続した場合は０．３秒間隔で内側の光源へ移行、条件Ｆ３、設計風量の４０％以上６０％未満の状態が５秒間連続した場合は０．５秒間隔で内側の光源へ移行、条件Ｆ４、設計風量の４０％未満の状態が５秒間連続した場合は１秒間隔で内側の光源へ移行する、で発光し、所定の条件に満たない場合、発光パターンは現状を維持する。
【０１２９】
上記構成において、風量表示手段４は光源４ｅから４ｈにより、実際の風量をアニメーション、設定風量の８０％以上の時は０．１秒間隔で内側の光源へ移行、設定風量の６０％以上８０％未満の時は０．３秒間隔で内側の光源へ移行、設定風量の４０％以上６０％未満の時は０．５秒間隔で内側の光源へ移行、設定風量の４０％未満の時は１秒間隔で内側の光源へ移行、として報知することにより、居住者は換気送風装置から離れた位置であっても、実際の風量を一目で容易に認識することができる。
【０１３０】
なお、風量表示手段４の発光色は１種類とは限らず、複数種類であっても良い。
【０１３１】
また、風量表示手段４の発光色は風量の大きさによって変化、例えば風量が大きい程青系統の色、少ない程赤系統等の色、しても良い。
【０１３２】
（実施の形態７）
実施の形態１の換気送風装置１の羽根１ｂに、実施の形態４と同様に光源を配置する。
【０１３３】
次に発光パターンの決定について図１２を参照しながら説明する。実施の形態１と同様にして得られた風量が所定の条件を満たす場合、光源は各条件ごとに決められたパターン、例えば条件Ｇ１、設計風量の７０％以上の状態が５秒間連続した場合、全ての光源を消灯させ、条件Ｇ２、設計風量の５０％以上７０％未満の状態が５秒間連続した場合、光源４ｇ、４ｈのみを適当な間隔で点滅させ、条件Ｇ３、設計風量の５０％未満の状態が５秒間連続した場合、全ての光源を適当な間隔で点滅させる、で発光し、所定の条件に満たない場合、発光パターンは現状を維持する。
【０１３４】
上記構成において、風量表示手段４は光源４ｅから４ｈにより、実際の風量をイラスト、設定風量の７０％以上の時は消灯、設定風量の５０％以上７０％未満の時は小さい「×」、設定風量の５０％未満の時は大きい「×」、として報知することにより、居住者は換気送風装置から離れた位置であっても、実際の風量を一目で容易に認識することができる。
【０１３５】
なお、適当な間隔とは、光源がほぼ停止しているように見える間隔、例えば、回転数が８００ｒｐｍであれば、約１／（８００／６０）秒または前記秒の倍数、とする。
【０１３６】
（実施の形態８）
実施の形態１の換気送風装置１の羽根１ｂに、図１３に示すように、発光色の異なる光源４ｉ、４ｊ、４ｋ、例えば赤色、青色、緑色、を羽根１ｂの回転軸から等間隔に配置する。
【０１３７】
次に発光パターンの決定について図１４を参照しながら説明する。実施の形態１と同様にして得られた風量が所定の条件を満たす場合、光源は各条件ごとに決められたパターン、例えば条件Ｈ１、設計風量の９０％以上の状態が５秒間連続した場合、光源４ｊのみを点灯させ、条件Ｈ２、設計風量の８０％以上９０％未満の状態が５秒間連続した場合、光源４ｊ、４ｋのみを点灯させ、条件Ｈ３、設計風量の６０％以上８０％未満の状態が５秒間連続した場合、光源４ｋのみを点灯させ、条件Ｈ４、設計風量の４０％以上６０％未満の状態が５秒間連続した場合、光源４ｉ、４ｋのみを点灯させ、条件Ｈ５、設計風量の４０％未満の状態が５秒間連続した場合、光源４ｉのみを発光させ、所定の条件に満たない場合、発光パターンは現状を維持する。
【０１３８】
上記構成において、風量表示手段４は光源４ｉから４ｋにより、実際の風量を色の違い設定風量の9０％以上の時は青色の円、設定風量の８０％以上９０％未満の時は水色の円、設定風量の６０％以上８０％未満の時は緑色の円、設定風量の４０％以上６０％未満の時は黄色の円、設定風量の４０％未満の時は赤色の円、として報知することにより、居住者は換気送風装置から離れた位置であっても、実際の風量を一目で容易に認識することができる。
【０１３９】
（実施の形態９）
実施の形態１の換気送風装置１の羽根１ｂに、図１５に示すように、発光色の異なる光源４ｌ、４ｍ、４ｎ、４ｏ、例えば青色、緑色、橙色、赤色、を各色ごとに回転軸の一番外側から回転順方向に、回転軸からの距離が徐々に小さくなるように配置する。
【０１４０】
図１６に示すように、同じ発光色の光源を回転軸外側から一定の間隔、例えば０．１秒間隔、で内側へ順次点灯させることにより、視覚的に空気が渦を巻いて吸い込まれていることを認識できる構成としている。
【０１４１】
次に発光パターンの決定について図１７を参照しながら説明する。実施の形態１と同様にして得られた風量が所定の条件を満たす場合、光源は各条件ごとに決められたパターン、例えば条件Ｉ１、設計風量の８０％以上の状態が５秒間連続した場合、光源４ｌを回転軸外側から順に一定間隔で点灯させ、条件Ｉ２、設計風量の６０％以上８０％未満の状態が５秒間連続した場合、光源４ｍを回転軸外側から順に一定間隔で点灯させ、条件Ｉ３、設計風量の４０％以上６０％未満の状態が５秒間連続した場合、光源４ｎを回転軸外側から順に一定間隔で点灯させ、条件Ｉ４、設計風量の４０％未満の状態が５秒間連続した場合、光源４ｏを回転軸外側から順に一定間隔で点灯させる、で発光し、所定の条件に満たない場合、発光パターンは現状を維持する。
【０１４２】
上記構成において、風量表示手段４は光源４ｌから４ｏにより、実際の風量をアニメーション、設定風量の８０％以上の時は青色の渦巻き、設定風量の６０％以上８０％未満の時は緑色の渦巻き、設定風量の４０％以上６０％未満の時は橙色の渦巻き、設定風量の４０％未満の時は赤色の渦巻き、として報知することにより、居住者は換気送風装置から離れた位置であっても、実際の風量を一目で容易に認識することができる。
【０１４３】
なお、光源の発光パターンは点灯ではなく、点滅であっても良い。
【０１４４】
また、図１８に示すように表示切替手段７は、表示ＯＦＦスイッチ７ａと、複数の発光パターンスイッチ７ｂ、７ｃ、７ｄと、換気送風装置ＯＮ／ＯＦＦスイッチ７ｅで構成されており、光源の発光パターン、例えば点滅パターン、色の変化、円の大きさ等、を切替えることや、表示をしないこともできる。
【０１４５】
さらに、実施の形態１から９を単数または複数種類組み合わせたものであっても良い。
【産業上の利用可能性】
【０１４６】
換気送風装置に取付けた風速検出手段と風量検出手段を用いて容易に実際の風量を検出することができ、羽根部に風量表示手段を取付けることにより、容易に認識可能な風量表示等の用途にも適用できる。
【図面の簡単な説明】
【０１４７】
【図１】本発明の実施の形態１の換気送風装置の構成図
【図２】同換気送風装置の風速検出から風量表示までのフローチャート
【図３】本発明の実施の形態１、２の換気送風装置の光源の配置図
【図４】本発明の実施の形態１の換気送風装置の発光パターン決定のフローチャート
【図５】本発明の実施の形態２の換気送風装置の発光パターン決定のフローチャート
【図６】本発明の実施の形態３の換気送風装置の光源の配置図
【図７】同換気送風装置の発光パターン決定のフローチャート
【図８】本発明の実施の形態４、５、６、７の換気送風装置の光源の配置図
【図９】本発明の実施の形態４の換気送風装置の発光パターン決定のフローチャート
【図１０】本発明の実施の形態５の換気送風装置の発光パターン決定のフローチャート
【図１１】本発明の実施の形態６の換気送風装置の発光パターン決定のフローチャート
【図１２】本発明の実施の形態７の換気送風装置の発光パターン決定のフローチャート
【図１３】本発明の実施の形態８の換気送風装置の光源の配置図
【図１４】同換気送風装置の発光パターン決定のフローチャート
【図１５】本発明の実施の形態９の換気送風装置の光源の配置図
【図１６】同換気送風装置の発光パターン図
【図１７】同換気送風装置の発光パターン決定のフローチャート
【図１８】本発明の実施の形態９の換気送風装置の表示切替手段図
【図１９】従来の羽根部に風量表示手段を備えた換気送風装置の構成図
【符号の説明】
【０１４８】
１      換気送風装置
１ａ    モータ
１ｂ    羽根
１ｃ    ルーバー
１ｄ    シャッター
１ｅ    電装部
２      風速検出手段
３      風量検出手段
４      風量表示手段
４ａ    電装部
４ｂ    光源
４ｃ    光源
４ｄ    光源
４ｅ    光源
４ｆ    光源
４ｇ    光源
４ｈ    光源
４ｉ    光源
４ｊ    光源
４ｋ    光源
４ｌ    光源
４ｍ    光源
４ｎ    光源
４ｏ    光源
５      送信手段
６      受信手段
７      表示切替手段
７ａ    表示ＯＦＦスイッチ
７ｂ    発光パターンスイッチ
７ｃ    発光パターンスイッチ
７ｄ    発光パターンスイッチ
７ｅ    換気送風装置ＯＮ／ＯＦＦスイッチ
【図１】
2005221089.tif 000003
【図２】
2005221089.tif 000004
【図３】
2005221089.tif 000005
【図４】
2005221089.tif 000006
【図５】
2005221089.tif 000007
【図６】
2005221089.tif 000008
【図７】
2005221089.tif 000009
【図８】
2005221089.tif 000010
【図９】
2005221089.tif 000011
【図１０】
2005221089.tif 000012
【図１１】
2005221089.tif 000013
【図１２】
2005221089.tif 000014
【図１３】
2005221089.tif 000015
【図１４】
2005221089.tif 000016
【図１５】
2005221089.tif 000017
【図１６】
2005221089.tif 000018
【図１７】
2005221089.tif 000019
【図１８】
2005221089.tif 000020
【図１９】
2005221089.tif 000021